(57)【要約】【課題】閲覧した権利情報に対する適切な評価情報ならびに関連情報が早期に獲得でき、第三者の権利情報に対して適切な対策を取ることが可能な閲覧システムを提供する。【解決手段】権利情報が蓄積されたデータベース２と、前記権利情報の閲覧要求を出力する閲覧要求部３１と前記権利情報の閲覧履歴を管理する閲覧履歴管理部３２を備えたサーバ３と、前記閲覧要求に含まれる権利情報毎に、書誌事項及び権利の内容を表示可能な詳細情報表示欄Ｗ４１０と前記評価情報入力欄Ｗ４１１７と関連情報入力欄Ｗ４１１９と閲覧終了入力部Ｗ４１３とを備えた詳細表示画面Ｗ４１を表示するように構成された閲覧処理部４１と前記評価情報入力欄Ｗ４１１７及び前記関連情報入力欄Ｗ４１１９に入力された評価情報及び関連情報を前記閲覧履歴管理部３２に出力する閲覧進捗管理部４２を備えたクライアント４とを備えた閲覧システム１。【選択図】図１
2009276884.tif 000002
【特許請求の範囲】
【請求項１】
知的財産に関する複数の権利情報が蓄積され、一または複数の前記権利情報毎にアクセス可能な閲覧者が設定された回覧情報テーブルを備えたデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部を備えたデータベースサーバと、
前記閲覧要求部から入力された閲覧要求に基づいて、前記データベースに蓄積された前記権利情報を閲覧操作し、各権利情報に対する評価情報を入力するための閲覧操作画面を表示する閲覧処理部と、当該閲覧操作画面を介した閲覧終了入力操作に基づいて前記閲覧履歴管理部に閲覧終了通知を出力する閲覧進捗管理部を備えたクライアントと、
前記データベースサーバと前記クライアントを接続するネットワークと、
を備えた閲覧システムであって、
前記閲覧処理部は、前記閲覧要求に含まれる権利情報毎に、書誌事項及び権利の内容を表示可能な詳細情報表示欄と、前記評価情報入力欄と、関連情報入力欄と、閲覧終了入力部とを備えた詳細表示画面を表示するように構成され、前記閲覧進捗管理部は、前記評価情報入力欄及び前記関連情報入力欄に入力された評価情報及び関連情報を前記閲覧履歴管理部に出力する閲覧システム。
【請求項２】
知的財産に関する複数の権利情報が蓄積され、一または複数の前記権利情報毎にアクセス可能な閲覧者が設定された回覧情報テーブルを備えたデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部と、前記閲覧要求部からの閲覧要求に基づいて、前記データベースに蓄積された前記権利情報を閲覧操作し、各権利情報に対する評価情報を入力するための閲覧操作画面を生成する閲覧処理部と、当該閲覧操作画面を介した閲覧終了入力操作に基づいて前記閲覧履歴管理部に閲覧終了通知を出力する閲覧進捗管理部を備えたデータベースサーバと、
前記閲覧処理部により生成された閲覧操作画面を表示するとともに、当該閲覧操作画面を介した閲覧終了入力操作がなされたことを前記閲覧進捗管理部に出力する入出力処理部を備えたクライアントと、
前記データベースサーバと前記クライアントを接続するネットワークと、
を備えた閲覧システムであって、
前記閲覧処理部は、前記閲覧要求に含まれる権利情報毎に、書誌事項及び権利の内容を表示可能な詳細情報表示欄と、前記評価情報入力欄と、関連情報入力欄と、閲覧終了入力部とを備えた詳細表示画面を表示するように構成され、前記閲覧進捗管理部は、前記評価情報入力欄及び前記関連情報入力欄に入力された評価情報及び関連情報を前記閲覧履歴管理部に出力する閲覧システム。
【請求項３】
前記閲覧処理部は、前記詳細表示画面に、他の閲覧者を表示する閲覧者リスト表示欄と、閲覧者を追加設定する閲覧者追加設定欄を備え、前記閲覧進捗管理部は、前記閲覧者追加設定欄に追加された追加閲覧者情報を前記閲覧履歴管理部に出力する請求項１または２記載の閲覧システム。
【請求項４】
前記閲覧要求部は、前記追加閲覧者情報に含まれる追加閲覧者のクライアントに当該権利情報の閲覧要求を出力する請求項３記載の閲覧システム。
【請求項５】
前記関連情報入力欄に、当該権利情報に関連する文献情報ファイルが入力される請求項１から４の何れかに記載の閲覧システム。
【請求項６】
前記閲覧履歴管理部は、当該権利情報の閲覧履歴に、前記閲覧進捗管理部から出力された文献情報ファイルを閲覧可能に付加する請求項５記載の閲覧システム。
【請求項７】
前記閲覧進捗管理部は、前記評価情報の入力完了を条件に前記閲覧終了通知を出力する請求項１から６の何れかに記載の閲覧システム。
【請求項８】
請求項１から７の何れかに記載の閲覧システムに接続可能なデータベースサーバ。
【請求項９】
請求項１から７の何れかに記載の閲覧システムに接続可能な閲覧者用のクライアント。
【発明の詳細な説明】
【技術分野】
【０００１】
本発明は、第三者の特許、実用新案、意匠等の電子公報を、社内の技術担当者や営業担当者等に迅速に周知する閲覧システムに関する。
【背景技術】
【０００２】
第三者が所有する知的財産権の侵害を回避するとともに、第三者の技術開発動向を把握した上で、効果的な知的財産権を取得して、優位な競争力を確保するために、製品を開発、製造、販売等する担当者に第三者及び自社の知的財産権に関する情報を周知する必要がある。
【０００３】
そのため、特許文献１や特許文献２には、知的財産に関する複数の権利情報が蓄積されたデータベースと、一または複数の前記権利情報毎に前記データベースにアクセス可能な閲覧者が設定された回覧情報テーブルと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部を備えたデータベースサーバと、前記閲覧要求部から入力された閲覧要求に基づいて、前記データベースに蓄積された前記権利情報を閲覧操作し、各権利情報に対する評価情報を入力するための閲覧操作画面を表示する閲覧処理部と、当該閲覧操作画面を介した閲覧終了入力操作に基づいて前記閲覧履歴管理部に閲覧終了通知を出力する閲覧進捗管理部を備えたクライアントと、前記データベースサーバと前記クライアントを接続するネットワークと、を備えた閲覧システムが提案されている。
【０００４】
上述した閲覧システムでは、データベースサーバの閲覧要求部から閲覧者のクライアントに閲覧要求の一例である電子メールが配信され、当該電子メールを受信したクライアントからデータベースサーバに格納されている権利情報を閲覧することにより、閲覧者が権利の内容を迅速に把握できるように構成されている。
【０００５】
そして、クライアントの閲覧処理部によって表示された閲覧操作画面を閲覧者が操作することにより、データベースに蓄積された権利情報の詳細が表示され、閲覧者が重要と判断する権利情報に対して、当該閲覧操作画面に設定された重要度を示す評価情報の入力欄に重要度を入力し、且つ、閲覧終了入力操作によって、閲覧進捗管理部が当該評価情報をデータベースサーバに出力するように構成されている。
【０００６】
データベースサーバの閲覧履歴管理部では、各閲覧者の閲覧進捗と各閲覧者が入力した評価情報が管理され、知的財産の管理者が各権利情報の閲覧履歴を参照することにより、必要な対処が取れるようになる。
【０００７】
例えば、重要度が高いと判断された権利情報に対して、公知文献調査や設計変更等の適切な対策が取れるようになる。
【特許文献１】特開平１１−１８４８６９号公報
【特許文献２】特開２００１−３３７９６６号公報
【発明の開示】
【発明が解決しようとする課題】
【０００８】
上述した従来の閲覧システムでは、閲覧者の夫々が評価情報の入力欄に評価情報を入力することにより、管理者が閲覧終了後の評価情報に基づいて重要な権利情報に対する対策、つまり、当該権利情報よりも先行する公知文献や先使用権を主張するための証拠資料、さらには当該権利情報に対抗できる自社の権利情報等を収集するという作業を行なう必要がある。
【０００９】
しかし、そのような権利情報に対して有効な情報を収集するのは容易ではなく、最終的に絞り込まれた文献類であっても、記載されている内容を精査して有効性を判断しなければならず、適切な情報を得るためには非常に煩雑な作業が要求されるという問題があった。
【００１０】
そのような作業は、評価情報の入力を行った閲覧者から当該権利情報の関連情報を集約する、あるいは、当該評価に至った経緯や根拠をヒアリングするような作業も含まれるが、閲覧者が評価情報を入力してからヒアリング等が行なわれるまでには、ある期間が経過しており、閲覧者は過去に閲覧した権利情報を見直すために、たとえ僅かながらでも遂行中の業務を中止しなければならないという問題もある。
【００１１】
また、閲覧効率の観点で各権利情報を全ての閲覧者に閲覧するようには運用されないため、閲覧対象者以外の人が当該権利情報に対する重要な情報を知得している場合には、うまくすくい上げることができないという問題もあった。
【００１２】
本発明の目的は、上述の従来欠点に鑑み、閲覧した権利情報に対する適切な評価情報ならびに有効な関連情報が早期に獲得でき、第三者の権利情報に対して適切な対策を取ることが可能な閲覧システムを提供する点にある。
【課題を解決するための手段】
【００１３】
上述の目的を達成するため、本発明による閲覧システムの第一の特徴構成は、特許請求の範囲の書類の請求項１に記載した通り、知的財産に関する複数の権利情報が蓄積され、一または複数の前記権利情報毎にアクセス可能な閲覧者が設定された回覧情報テーブルを備えたデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部を備えたデータベースサーバと、前記閲覧要求部から入力された閲覧要求に基づいて、前記データベースに蓄積された前記権利情報を閲覧操作し、各権利情報に対する評価情報を入力するための閲覧操作画面を表示する閲覧処理部と、当該閲覧操作画面を介した閲覧終了入力操作に基づいて前記閲覧履歴管理部に閲覧終了通知を出力する閲覧進捗管理部を備えたクライアントと、前記データベースサーバと前記クライアントを接続するネットワークと、を備えた閲覧システムであって、前記閲覧処理部は、前記閲覧要求に含まれる権利情報毎に、書誌事項及び権利の内容を表示可能な詳細情報表示欄と、前記評価情報入力欄と、関連情報入力欄と、閲覧終了入力部とを備えた詳細表示画面を表示するように構成され、前記閲覧進捗管理部は、前記評価情報入力欄及び前記関連情報入力欄に入力された評価情報及び関連情報を前記閲覧履歴管理部に出力する点にある。
【００１４】
上述の構成によれば、閲覧者は、権利情報の閲覧終了と同時に評価情報と当該権利情報に対する公知文献情報等の関連情報を入力可能なため、回覧処理に伴なって関連情報が自動的に収集されるようになり、知財管理者の作業を大きく低減させることができるようになる。また、複数の閲覧者による当該権利情報の閲覧終了後に、再び評価情報や関連情報を提供するよう、管理者から要求されることも回避できるようになる。
【００１５】
同第二の特徴構成は、同請求項２に記載した通り、知的財産に関する複数の権利情報が蓄積され、一または複数の前記権利情報毎にアクセス可能な閲覧者が設定された回覧情報テーブルを備えたデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部と、前記閲覧要求部からの閲覧要求に基づいて、前記データベースに蓄積された前記権利情報を閲覧操作し、各権利情報に対する評価情報を入力するための閲覧操作画面を生成する閲覧処理部と、当該閲覧操作画面を介した閲覧終了入力操作に基づいて前記閲覧履歴管理部に閲覧終了通知を出力する閲覧進捗管理部を備えたデータベースサーバと、前記閲覧処理部により生成された閲覧操作画面を表示するとともに、当該閲覧操作画面を介した閲覧終了入力操作がなされたことを前記閲覧進捗管理部に出力する入出力処理部を備えたクライアントと、前記データベースサーバと前記クライアントを接続するネットワークと、を備えた閲覧システムであって、前記閲覧処理部は、前記閲覧要求に含まれる権利情報毎に、書誌事項及び権利の内容を表示可能な詳細情報表示欄と、前記評価情報入力欄と、関連情報入力欄と、閲覧終了入力部とを備えた詳細表示画面を表示するように構成され、前記閲覧進捗管理部は、前記評価情報入力欄及び前記関連情報入力欄に入力された評価情報及び関連情報を前記閲覧履歴管理部に出力する点にある。
【００１６】
上述の構成によれば、サーバ側に備えた閲覧処理部及び閲覧進捗管理部に従って処理する入出力処理部をクライアント側に設けることにより、第一の特徴構成と同様の機能を実現しながらも、クライアント側の処理負担を軽減することができる。
【００１７】
同第三の特徴構成は、同請求項３に記載した通り、上述の第一または第二の特徴構成に加えて、前記閲覧処理部は、前記詳細表示画面に、他の閲覧者を表示する閲覧者リスト表示欄と、閲覧者を追加設定する閲覧者追加設定欄を備え、前記閲覧進捗管理部は、前記閲覧者追加設定欄に追加された追加閲覧者情報を前記閲覧履歴管理部に出力する点にある。
【００１８】
上述の構成によれば、閲覧者が限定された閲覧システムであっても、閲覧者が閲覧対象である権利情報に関連する業務に詳しい人物や、権利情報に密接に関連する情報を所有していると思われる技術者等を想定する場合も多くある。このとき、閲覧者リスト表示欄に表示されている他の閲覧者に当該人物が含まれていないときに、当該人物を閲覧者として閲覧者追加設定欄に追加することにより、管理者が所属部署などからは知りえない適切な評価情報の入力が行える閲覧者を知ることができるようになる。
【００１９】
同第四の特徴構成は、同請求項４に記載した通り、上述の第三の特徴構成に加えて、前記閲覧要求部は、前記追加閲覧者情報に含まれる追加閲覧者のクライアントに当該権利情報の閲覧要求を出力する点にある。
【００２０】
上述の構成によれば、管理者の労力をかけることなく、閲覧者によって追加された閲覧者に対して、閲覧要求を出力することができるようになり、そのような閲覧者から適切な評価情報及び関連情報を収集することができるようになる。
【００２１】
同第五の特徴構成は、同請求項５に記載した通り、上述の第一から第四の何れかの特徴構成に加えて、前前記関連情報入力欄に、当該権利情報に関連する文献情報ファイルが入力される点にある。
【００２２】
上述の構成によれば、閲覧者は、当該権利情報に関連する文献情報ファイルの内容を詳細表示画面の入力欄に合わせて編集する必要がなくなり、当該権利情報に関連する文献情報ファイルの内容を欠落させることなく入力することができるようになる。
【００２３】
同第六の特徴構成は、同請求項６に記載した通り、上述の第五の特徴構成に加えて、前記閲覧履歴管理部は、当該権利情報の閲覧履歴に、前記閲覧進捗管理部から出力された文献情報ファイルを閲覧可能に付加する点にある。
【００２４】
上述の構成によれば、当該権利情報に関連する文献情報ファイルを、当該文献情報ファイルを入力した閲覧者に改めて要求することなく、即座に閲覧できるようになる。
【００２５】
同第七の特徴構成は、同請求項７に記載した通り、上述の第一から第六の何れかの特徴構成に加えて、前記閲覧進捗管理部は、前記評価情報の入力完了を条件に前記閲覧終了通知を出力する点にある。
【００２６】
上述の構成によれば、評価情報の入力漏れを避けることができるようになる。
【００２７】
同第八の特徴構成は、同請求項８に記載した通り、前記データベースサーバが、上述の第一から第七の何れかの特徴構成に組み込み可能な点にある。
【００２８】
上記構成によれば、前記第一から第七の特徴構成の作用、ならびに効果を有することができるようになる。
【００２９】
同第九の特徴構成は、同請求項９に記載した通り、前記閲覧者用のクライアントが、上述の第一から第七の何れかの特徴構成に組み込み可能な点にある。
【００３０】
上記構成によれば、前記第一から第七の特徴構成の作用、ならびに効果を有することができるようになる。
【発明の効果】
【００３１】
以上説明した通り、本発明によれば閲覧した権利情報に対する適切な評価情報ならびに関連情報が早期に獲得でき、第三者の権利情報に対して適切な対策を取ることが可能な閲覧システムを提供することができるようになった。
【発明を実施するための最良の形態】
【００３２】
以下に本発明による閲覧システムを説明する。
【００３３】
図１に示すように、閲覧システム１は、知的財産に関する複数の権利情報が蓄積されたデータベース２を管理するデータベースサーバコンピュータ３（以下、「サーバ」と記す。）と、データベース２に蓄積された権利情報を閲覧するためのクライアントコンピュータ４（以下、「閲覧クライアント」と記す。）と、サーバ３で管理されるデータベースの更新処理や各種の環境設定処理を行なう知的財産情報管理用のクライアントコンピュータ５（以下、「管理クライアント」と記す。）と、定期的に発行される特許公報等の電子情報が記憶されたＣＤ−ＲＯＭ等のメディアから、必要な権利情報をスクリーニングする検索用コンピュータ６が、ネットワーク７に接続されて構成されている。
【００３４】
検索用コンピュータ６は、複数枚のＣＤ−ＲＯＭ公報を装着可能なメディアドライブ６２と、特定の技術分野毎に設定された検索式に基づいて該当する特許公報等の権利情報を抽出する検索実行部６１を備えている。
【００３５】
検索実行部６１は、検索式の設定入力をするための検索実行画面Ｗ６１１と、検索実行画面Ｗ６１１の入力操作に基づいて、メディアドライブ６２に装着されたＣＤ−ＲＯＭ公報から、該当する特許公報等の権利情報を抽出し、編集可能な電子データを出力する処理を実現する検索実行部プログラムＳ６１を備えている。
【００３６】
管理クライアント５は、検索用コンピュータ６で抽出した特許公報等の権利情報の電子データを回覧可能に編集し、データベース２に当該編集された電子データを登録する文書登録部５１を備えている。
【００３７】
文書登録部５１は、検索用コンピュータ６で抽出した特許公報等の権利情報の電子データから、取り込む対象となる電子データを指定操作するデータ取込画面Ｗ５１１と、取り込んだ電子データを回覧可能に編集操作し、データベース２に登録操作するためのデータ編集画面Ｗ５１２を備えている。さらに、画面の表示処理、あるいは、画面の入力操作に基づいた処理を実行する文書登録部プログラムＳ５１を備えている。
【００３８】
データベース２は、閲覧に対する回答期限や件名などの権利情報を識別可能に管理するための情報が、検索用コンピュータ６で抽出した特許公報等の権利情報の電子データと組み合わせて設定される権利情報テーブルＤ２１と、閲覧者を識別する情報が設定された閲覧者情報テーブルＤ２２と、たとえば、電子メールの個人別のメールボックスフォルダ等のように、閲覧者個別に配信される情報が設定される閲覧者個別情報テーブルＤ２３と、権利情報毎に閲覧履歴の詳細情報が設定される閲覧履歴情報テーブルＤ２４と、一または複数の権利情報毎にアクセス可能な閲覧者が設定された回覧情報テーブルＤ２５を備えている。
【００３９】
サーバ３は、データベース２に備えられたデータテーブルのデータにアクセス可能なデータベースインタフェース３３を備えている。データベースインタフェース３３は、ネットワーク７を介して、クライアントから利用可能に構成されている。
【００４０】
さらに、サーバ３は、上述の構成に加えて、前記回覧情報テーブルＤ２５に設定された閲覧者の閲覧クライアント４に、権利情報の閲覧要求を出力する閲覧要求部３１と、閲覧要求に対する閲覧者の閲覧履歴を管理する閲覧履歴管理部３２を備えている。
【００４１】
閲覧要求部３１は、閲覧者の閲覧クライアント４に権利情報の閲覧要求を出力する処理を実現する閲覧要求部プログラムＳ３１を備えている。
【００４２】
閲覧履歴管理部３２は、閲覧要求に対する閲覧者の閲覧履歴を管理する処理を実現する閲覧履歴管理部プログラムＳ３２を備えている。
【００４３】
閲覧クライアント４は、サーバ３のデータベースインタフェース３３を介して、データベース２に備えられているデータテーブルのデータにアクセス可能に構成されている。
【００４４】
さらに、閲覧クライアント４は、上述の構成に加えて、サーバ３の閲覧要求部３１から入力された閲覧要求に基づいて、データベース２に蓄積された権利情報を閲覧操作し、各権利情報に対する評価情報及び閲覧終了を入力するための閲覧操作画面を表示する閲覧処理部４１と、当該閲覧操作画面を介した閲覧終了入力操作に基づいてサーバ３の閲覧履歴管理部３２に閲覧終了通知を出力する閲覧進捗管理部４２を備えている。
【００４５】
閲覧処理部４１は、評価情報の入力操作を行うことができる閲覧操作画面Ｗ４１１（以下、「詳細表示画面」と記す。）を備えている。さらに、詳細表示画面Ｗ４１の表示処理や、前記画面の入力操作に基づいた処理を実行する閲覧処理部プログラムＳ４１を備えている。
【００４６】
閲覧進捗管理部４２は、上述の詳細表示画面Ｗ４１の閲覧終了入力操作に基づいて、処理を実行する閲覧進捗管理部Ｓ４２を備えている。
【００４７】
本発明による閲覧システム１を利用する場合において、検索用コンピュータ６の検索実行部６１を利用して、ＣＤ−ＲＯＭ公報から特定の技術分野毎に設定された検索式に基づいて該当する特許公報等の権利情報の電子データを抽出し、抽出した権利情報の電子データをデータベース２に登録する必要がある。この場合の実施形態について、上述の構成例と、図２、図３、図４に基づいて説明する。
【００４８】
図２に示すように、知財管理者が、たとえば、アイコンをクリックするなど、検索画面の起動操作をすると（Ｃ６１１）、検索実行部プログラムＳ６１の検索画面表示の処理（Ｓ６１１）が開始される。
【００４９】
検索画面表示の処理（Ｓ６１１）は、検索式を入力する検索式入力欄と、ＣＤ−ＲＯＭ公報を検索し、当該検索式に該当する公報電子データ６２１を画面に表示する検索実行ボタンと、検索結果の公報電子データを識別可能に表示する検索結果表示欄と、検索結果表示欄に表示された公報電子データを選択操作し、当該選択操作した公報電子データをファイル出力するファイル出力ボタンを備えた検索実行画面Ｗ６１１を表示する。
【００５０】
続いて、知財管理者が、特定の技術分野毎に設定された検索式を検索式入力欄に入力後、検索実行ボタンを押下すると（Ｃ６１２）、検索実行部プログラムＳ６１の検索実行の処理（Ｓ６１２）が開始される。
【００５１】
検索実行の処理（Ｓ６１２）は、検索式入力欄に入力された検索式を取得し、当該取得した検索式に該当する公報電子データ６２１を、メディアドライブ６２内のＣＤ−ＲＯＭ公報を検索して取得する。そして、当該取得した検索結果の公報電子データ６２１を、検索実行画面Ｗ６１１の検索結果表示欄に識別可能に表示する。
【００５２】
続いて、知財管理者が、検索実行画面Ｗ６１１の検索結果表示欄に識別可能に表示された公報電子データ６２１から、ファイル出力する公報電子データ６２１を選択操作し、ファイル出力ボタンを押下すると（Ｃ６１３）、検索実行部プログラムＳ６１のファイル出力の処理（Ｓ６１３）が開始される。
【００５３】
ファイル出力の処理（Ｓ６１３）は、選択操作された公報電子データ６２１を、検索用コンピュータ６の共有フォルダ等のファイル書込みが可能なフォルダへファイル出力する。
【００５４】
この場合、出力するファイル６３（以下、「権利情報データファイル」と記す）のファイルファーマットは、ＣＤ−ＲＯＭ公報に格納されたフォーマットと同じ形式が望ましいが、一般的に周知されたファイルフォーマットである限り、特に限定はしない。
【００５５】
ただし、ＣＤ−ＲＯＭ公報に格納されたフォーマットと別の形式のフォーマットに変換する場合は、フォーマット変換の処理プログラムが必要となることは、言うまでもない。
【００５６】
なお、知財管理者が、あらかじめ設定ファイル等に検索式を設定しておき、ある一定期間毎に自動で起動し、当該設定された検索式に該当する権利情報データファイル６３を出力するように、検索実行部プログラムＳ６１を構成しても構わない。
【００５７】
また、権利情報データファイルは、ＣＤ−ＲＯＭ公報から抽出して作成することに限定されず、たとえば、Shareresearch(株式会社日立製作所)等の商用の特許情報提供サービスを利用して、特定の技術分野毎に設定された検索式に基づいて該当する権利情報データファイルを作成しても構わない。
【００５８】
また、検索用コンピュータ６の検索実行部６１とメディアドライブ６２とメディアドライブ６２にアクセスするためのインタフェース部を、サーバ３に備えるように構成することにより、検索用コンピュータ６とサーバ３が一体化したスタンドアロン型システムとして構成しても構わない。
【００５９】
続いて、出力された権利情報データファイル６３が本発明による閲覧システム１により回覧可能に編集される実施形態について説明する。
【００６０】
図３に示すように、知財管理者が、たとえば、アイコンをクリックするなど、データ取込画面Ｗ５１１の起動操作をすると（Ｃ５１１）、文書登録部プログラムＳ５１のデータ取込画面表示の処理（Ｓ５１１）が開始される。
【００６１】
データ取込画面表示の処理（Ｓ５１１）は、データベース２への登録対象とする権利情報データファイル６３を選択操作するファイル指定ダイアログと、ファイル指定ダイアログで選択操作されたファイルのファイルパスを表示するファイル指定欄と、当該指定された権利情報データファイル６３の内容をデータ編集画面Ｗ５１２に表示するファイル表示ボタンを備えたデータ取込画面Ｗ５１１を表示する。
【００６２】
続いて、知財管理者が、ファイル指定ダイアログを利用して登録対象とする権利情報データファイル６３を指定後、ファイル表示ボタンを押下すると（Ｃ５１２）、文書登録部プログラムＳ５１の権利情報データファイル読込の処理（Ｓ５１２）が開始される。
【００６３】
権利情報データファイル読込の処理（Ｓ５１２）は、ファイル指定欄に表示されたファイルパスを取得し、当該ファイルパスに該当する権利情報データファイル６３を読み取った後、データ編集画面表示の処理（Ｓ５１３）を実行する。
【００６４】
データ編集画面Ｗ５１２は、権利情報データファイル６３の公報番号や書誌事項や要約などのテキスト情報を表示する権利情報表示欄と、閲覧者の一覧を識別可能に表示し、表示された閲覧者の一覧を選択操作可能とする閲覧者一覧表示ダイアログと、閲覧者一覧表示ダイアログを起動する閲覧者一覧ダイアログ起動ボタンと、データ編集画面Ｗ５１２に入力されたデータをデータベース２に登録するデータ登録ボタンを備えている。
【００６５】
データ編集画面表示の処理（Ｓ５１３）は、データ編集画面Ｗ５１２を起動するとともに、権利情報データファイル読込の処理（Ｓ５１２）で読み取った権利情報データファイル６３の公報番号や書誌事項や要約などのテキスト情報を、データ編集画面Ｗ５１２の権利情報表示欄に表示する。
【００６６】
さらに、データ編集画面表示の処理（Ｓ５１３）は、公報の閲覧者を設定するために、閲覧者を識別する情報が設定された閲覧者情報テーブルＤ２２から閲覧者のデータを取得し、データ編集画面Ｗ５１２の閲覧者一覧表示ダイアログに利用可能に表示する。
【００６７】
ここで、閲覧者一覧表示ダイアログに利用可能に表示するとは、データ編集画面Ｗ５１２上で常時目視できる状態で表示されなくても、閲覧者一覧表示ダイアログ起動ボタンを押下して閲覧者一覧表示ダイアログを起動し、閲覧者の選択操作をする場合に利用可能であることを示す。
【００６８】
続いて、知財管理者は、データ編集画面Ｗ５１２の権利情報表示欄に表示されたデータを利用して、権利情報を回覧可能に編集する（Ｃ５１３）。
【００６９】
まず、データ編集画面Ｗ５１２の権利情報表示欄に表示された権利情報データファイル６３の内容を権利情報テーブルＤ２１に登録可能に編集する実施形態について説明する。
【００７０】
権利情報テーブルＤ２１は、たとえば、図４（ａ）に示すようなデータ構造であるとする。公報番号Ｄ２１１と抄録Ｄ２１６と全文Ｄ２１７と図面データＤ２１８は、権利情報データファイル６３から取得可能なデータが編集されずに設定されるものとする。したがって、権利情報データファイル６３からその他のデータ項目が取得可能であれば、データ構造に追加しても構わない。
【００７１】
さらに、種別Ｄ２１２は公報種別を示し、区分Ｄ２１３は技術分野を示し、回答期限Ｄ２１４は公報番号が示す権利情報の閲覧終了を通知する期限を示し、件名Ｄ２１５は回覧の件名を示し、リンクデータＤ２１９は権利情報の関連情報が掲載されたＵＲＬなどのリンク情報を示すものとする。
【００７２】
したがって、データ編集画面Ｗ５１２は、権利情報テーブルＤ２１の構成にあわせるよう、上述の構成に加えて、権利情報表示欄に表示された権利情報毎に、公報番号Ｄ２１１を表示する公報番号表示欄と、種別Ｄ２１２を入力する種別入力欄と、区分Ｄ２１３を入力する区分入力欄と、回答期限Ｄ２１４を入力する回答期限入力欄と、件名Ｄ２１５を入力する件名入力欄と、リンクデータＤ２１９を入力するリンクデータ入力欄を備えるようにする。
【００７３】
なお、種別入力欄と区分入力欄は、あらかじめ候補となるデータを設定ファイルなどに設定しておき、選択入力操作が可能な画面部品を利用して構成することが、入力を迅速に行う上で望ましい。
【００７４】
まず、知財管理者は、データ編集画面Ｗ５１２の権利情報表示欄に表示された権利情報内容を確認し、一度の回覧で閲覧可能な権利情報の数を制限するために、種別入力欄と区分入力欄に、それぞれ、種別Ｄ２１２と区分Ｄ２１３を入力して権利情報を分類可能に編集する。
【００７５】
続いて、分類した権利情報毎に同じ件名となるように、件名入力欄に件名Ｄ２１５を入力する。さらに、閲覧者間の意思疎通を図り、効率よく回覧を実施するために、権利情報に関連する先行技術情報を掲載したホームページのＵＲＬや、あるいは、権利情報を閲覧する場合の注意点を示すコメントなど、権利情報のリンクデータＤ２１９を、リンクデータ入力欄に入力する。
【００７６】
なお、回覧を効率よく実施するために、上述の権利情報テーブルＤ２１のデータ構造にその他の項目を設定するようにしても構わないし、データ項目が多すぎるのであれば、公報番号で関連付けられた複数のテーブルに分割したデータ構造にしても構わない。ただし、データ項目に合わせて、データ編集画面Ｗ５１２を構成する必要があることはいうまでもない。
【００７７】
続いて、公報を回覧する閲覧者の設定情報を回覧情報テーブルＤ２５に登録可能なデータを編集する実施形態について説明する。
【００７８】
回覧情報テーブルＤ２５は、たとえば、図４（ｂ）に示すようなデータ構造をとるものとする。種別Ｄ２５１は、権利情報テーブルＤ２１の種別Ｄ２１１と関連付け、区分Ｄ２５２は、権利情報テーブルＤ２１の区分Ｄ２１２と関連付けるようにし、種別Ｄ２５１と区分Ｄ２５２で分類された権利情報毎に、回覧する閲覧者が設定される。
【００７９】
回覧グループＤ２５３は、回覧のグループの名前を示し、本実施形態では種別Ｄ２５１と区分Ｄ２５２での分類名を示す。さらに、閲覧者Ｄ２５４は、上述の閲覧者情報テーブルＤ２２から取得した閲覧者を識別する名前を示す。さらに、閲覧属性Ｄ２５５は、閲覧とともに権利情報に対する評価情報の入力が必要であるか否かを示す。
【００８０】
さらに、評価Ｄ２５５は、閲覧とともに権利情報に対する評価情報の入力が必要であるか否かを示すように編集する。たとえば、営業者の場合は、担当部署間での意思疎通を図るための閲覧は必要であるが、権利情報の詳細を把握して評価情報を入力する必要はない。したがって、営業者である閲覧者には、評価Ｄ２５５を否に設定し、評価情報の入力が行えない、権利情報の概要のみが閲覧できる画面を表示させることにより、迅速な閲覧を実現することができるようになる。
【００８１】
ただし、評価Ｄ２５５は、全ての設定された閲覧者に評価情報の入力を要求する場合は、必須の設定項目ではないので省略しても構わない。さらに、迅速な閲覧を実現するために必要な項目を付与しても構わない。
【００８２】
さらに、本実施形態では、回覧のグループ毎に最大２０名の閲覧者を設定可能とし、閲覧者Ｄ２５４と閲覧属性Ｄ２５５のデータ項目の組合せが２０組備えられたデータ構造とする。
【００８３】
なお、いうまでもなく、回覧のグループ毎の最大閲覧者数は変更しても構わないし、回覧グループＤ２５３などと関連付けられた複数のテーブルに分割して、分割された別のテーブルに閲覧者Ｄ２５４と閲覧属性Ｄ２５５を設定するように変更しても構わない。
【００８４】
したがって、データ編集画面Ｗ５１２は、回覧情報テーブルＤ２５の構成にあわせるよう、上述の構成に加えて、回覧情報入力欄を設ける必要がある。
【００８５】
ただし、回覧情報テーブルＤ２５は、種別Ｄ２５１と区別Ｄ２５２で分類した権利情報毎に閲覧者を設定するテーブルであるため、種別Ｄ２５１と区別Ｄ２５２のデータが新規に追加されない限り、回覧情報テーブルＤ２５を頻繁に更新する必要はない。
【００８６】
したがって、本実施形態では、データ編集画面Ｗ５１２に表示された権利情報データファイル６３の内容を権利情報テーブルＤ２１に登録可能に編集する操作（Ｃ５１３）と分離し、データ編集画面Ｗ５１２から起動される別の回覧情報編集画面の操作で回覧情報テーブルＤ２５に登録可能なデータを編集するものとして説明する。ただし、同データ編集画面Ｗ５１２に回覧情報編集画面の内容を表示し、後述する回覧情報テーブルＤ２５に登録可能なデータを編集するように構成しても構わない。
【００８７】
データ編集画面Ｗ５１２は、回覧情報テーブルＤ２５に設定するデータを編集するための回覧情報入力欄と、回覧情報入力欄に入力された内容をデータ編集画面Ｗ５１２に利用可能に表示する設定完了ボタンを備えた回覧情報編集画面を起動する回覧編集設定ボタンを備えるよう構成する。
【００８８】
回覧情報編集画面の回覧情報入力欄は、回覧情報テーブルＤ２５のデータ構造に合わせて構成され、種別Ｄ２５１と区分Ｄ２５２と回覧グループＤ２５３を入力するための、回覧種別入力欄と回覧区分入力欄と回覧グループ入力欄を備え、回覧グループＤ２５３毎に、閲覧者Ｄ２５４と閲覧属性Ｄ２５５を入力する回覧者入力欄と閲覧属性入力欄を２０組備えている。
【００８９】
まず、知財管理者が、データ編集画面Ｗ５１２に備えられた回覧編集設定ボタンを押下すると、文書登録部プログラムＳ５１は、回覧情報編集画面を表示する。この場合、既に回覧情報テーブルＤ２５にデータが存在するときは、文書登録部プログラムＳ５１は、回覧情報テーブルＤ２５のデータを取得して、回覧情報編集画面に表示するよう構成する。
【００９０】
続いて、知財管理者が、回覧情報入力欄に備えられた、種別入力欄と、回覧区分入力欄と、回覧グループ欄と、回覧グループ入力欄と、回覧者入力欄と、閲覧属性入力欄に、回覧情報テーブルＤ２５に設定するデータを入力後、設定完了ボタンを押下すると、文書登録部プログラムＳ５１は、当該回覧情報入力欄に入力された内容をデータ編集画面Ｗ５１２に利用可能に表示する。
【００９１】
この場合、当該回覧情報入力欄に入力された内容をデータ編集画面Ｗ５１２に利用可能に表示するとは、データ編集画面Ｗ５１２上で常時目視できる状態で表示されなくても、知財管理者がデータ編集画面Ｗ５１２のデータ登録ボタンを押下したときに実行される文書登録部プログラムＳ５１が、当該回覧情報入力欄に入力された内容を取得して利用可能であることを示す。
【００９２】
続いて、知財管理者が上述のデータ編集の作業を終了し、データ編集画面Ｗ５１２のデータ登録ボタンを押下すると（Ｃ５１４）、文書登録部プログラムＳ５１の回覧データ登録の処理（Ｓ５１４）が開始される。
【００９３】
回覧データ登録の処理（Ｓ５１４）は、データ編集画面Ｗ５１２から権利情報テーブルＤ２１に登録可能な権利情報データファイル６３の内容（以下、「権利情報データ」と記す。）と、回覧情報テーブルＤ２５に登録可能なデータ（以下、「回覧情報データ」と記す。）を取得し、取得した権利情報データを権利情報テーブルＤ２１に登録し、取得した回覧情報データを回覧情報テーブルＤ２５に登録する。
【００９４】
なお、上述の管理者用のクライアント５の文書登録部５１を、サーバ３に備えるよう構成し、管理者用のクライアント５とサーバ３が一体化したスタンドアロン型システムとなるよう構成しても構わない。
【００９５】
以下では、回覧情報テーブルＤ２５に設定された閲覧クライアント４に閲覧要求を出力する閲覧要求部３１の実施形態について、上述の構成例と実施形態、図５、図６に基づいて説明する。
【００９６】
閲覧要求部３１の閲覧要求部プログラムＳ３１は、手動あるいは、ある定められた期間毎に自動で実行を開始するよう構成する。
【００９７】
図５に示すように、閲覧要求部プログラムＳ３１が実行開始されると、まず、権利情報取得の処理（Ｓ３１１）が開始される。
【００９８】
権利情報取得の処理（Ｓ３１１）は、権利情報テーブルＤ２１に蓄積された権利情報データを取得し、回覧情報取得の処理（Ｓ３１２）を開始する。
【００９９】
回覧情報取得の処理（Ｓ３１２）は、回覧情報テーブルＤ２５に設定された回覧情報データを取得し、閲覧情報登録の処理（Ｓ３１３）を開始する。
【０１００】
閲覧情報登録の処理（Ｓ３１３）は、権利情報取得の処理（Ｓ３１１）で取得した権利情報データの種別Ｄ２１２と区分Ｄ２１３に関連付けられた回覧情報データを、回覧情報取得の処理（Ｓ３１２）で取得した回覧情報データから取得し、当該回覧情報データの閲覧者Ｄ２５４へ配信する情報が設定される閲覧者個別情報テーブルＤ２３に登録するデータ（以下、「閲覧情報データ」と記す。）を作成し、当該作成した閲覧情報データを閲覧者個別情報テーブルＤ２３に登録する。
【０１０１】
閲覧者個別情報テーブルＤ２３に登録する閲覧情報データは、図６（ａ）に示すようなデータ構造とする。
【０１０２】
閲覧者Ｄ２３６は、回覧情報テーブルの閲覧者Ｄ２５４を設定し、種別Ｄ２３２は、権利情報データの種別Ｄ２１２を設定し、区分Ｄ２３３は、権利情報データの種別Ｄ２１３を設定し、件名Ｄ２３４は、権利情報データの件名Ｄ２１５を設定し、公報番号Ｄ２３５は、権利情報データの公報番号Ｄ２１１を設定し、評価Ｄ２３７は、回覧情報データの評価Ｄ２５５を設定する。評価文書Ｄ２３８、関連情報Ｄ２３９、閲覧終了日付Ｄ２３０、文献情報ファイルＤ２３Ｂ、拡張子Ｄ２３Ｃ、追加区分Ｄ２３Ａには、何も設定せずに登録する。
【０１０３】
以上で、閲覧要求部３１の閲覧要求部プログラムＳ３１の処理を終了する。
【０１０４】
続いて、前記閲覧処理部４１は、権利情報に対する評価情報及び関連情報を入力可能な詳細表示画面Ｗ４１を表示し、閲覧進捗管理部４２は、当該詳細表示画面Ｗ４１を介した閲覧終了入力操作に基づいて、当該詳細表示画面Ｗ４１に入力された評価情報及び関連情報を前記閲覧履歴管理部３２に出力する実施形態について、上述の構成例と、図７、図８、図９に基づいて説明する。
【０１０５】
図７に示すように、閲覧処理部４１は、閲覧要求に含まれる権利情報毎に、書誌事項及び権利の内容を表示可能な詳細情報表示欄Ｗ４１０と、当該権利情報に対する評価情報入力欄Ｗ４１１７と、当該権利情報に関連する機器名などの関連情報入力欄Ｗ４１１９と、当該評価情報を入力した根拠等、評価情報を付加する文書情報を示す評価文書情報入力欄Ｗ４１１８と、当該権利情報の閲覧終了した日付を表示する閲覧終了日付欄Ｗ４１１０と、当該権利情報に対する閲覧終了を通知する閲覧終了入力部Ｗ４１３と、を備えた詳細表示画面Ｗ４１を備えるよう構成する。
【０１０６】
さらに、図８に示すように、閲覧履歴情報テーブルＤ２４のデータ（以下、「閲覧履歴データ」と記す。）の構造は、閲覧者により詳細表示画面Ｗ４１に入力された情報を利用して、権利情報毎に複数の閲覧者の閲覧結果が設定可能に構成する。
【０１０７】
公報番号Ｄ２４１は、閲覧対象の権利情報の公報番号Ｄ２３５を示し、閲覧者Ｄ２４６は、詳細表示画面Ｗ４１を入力操作した閲覧者を示し、評価Ｄ２４７は、評価情報入力欄Ｗ４１１７に入力された評価情報を示し、閲覧終了日付Ｄ２４０は、閲覧終了の入力操作があった日付を示す。さらに、評価文書Ｄ２４８は、評価文書情報入力欄Ｗ４１１８に入力された評価情報を付加する文書情報を示し、関連情報Ｄ２４９は、関連情報入力欄Ｗ４１１９に入力された関連情報を示す。
【０１０８】
これらのデータ項目を、権利情報の閲覧者の最大人数分だけ繰り返したデータ構造とする。なお、図８に示されている上述のデータ項目とは他のデータ項目については、後述の実施形態で説明するため、本実施形態では何も設定されないものとする。
【０１０９】
上述の構成例に基づいて、図９に示すように、閲覧クライアント４を使用している閲覧者が、たとえば、アイコンをクリックするなど、詳細表示画面Ｗ４１の起動操作をすると（Ｃ４１１）、閲覧処理部４１の閲覧処理部プログラムＳ４１の閲覧者用データ取得の処理（Ｓ４１１）が開始される。
【０１１０】
閲覧者用データ取得の処理（Ｓ４１１）は、当該詳細表示画面Ｗ４１の表示を要求した閲覧者用に登録された閲覧情報データを、閲覧者個別情報テーブルＤ２３から取得し、さらに、取得した当該閲覧情報データの公報番号Ｄ２３５と関連付けられた権利情報データを取得する。
【０１１１】
さらに、閲覧者用データ取得の処理（Ｓ４１１）は、閲覧履歴管理部プログラムＳ３２に、取得した閲覧情報データに含まれる公報番号Ｄ２３５を送信するとともに、公報番号Ｄ２３５に関連付けられた権利情報の閲覧履歴データを取得するよう要求する。
【０１１２】
なお、閲覧者用データ取得の処理（Ｓ４１１）をある一定の期間毎に繰り返して実行させ、閲覧クライアント４を使用している閲覧者が詳細表示画面Ｗ４１を起動している場合において、上述のように、閲覧要求部３１により閲覧者個別情報テーブルＤ２３に当該閲覧者用の閲覧情報データが登録されたときは、詳細表示画面Ｗ４１を操作可能に表示する、あるいは、市販のメールソフトウェアのように、権利情報が配信されたことを通知するメッセージ画面を表示するなど、閲覧者に閲覧情報が配信されたことを明確に通知しても構わない。
【０１１３】
続いて、閲覧者用データ取得の処理（Ｓ４１１）から要求を受けた閲覧履歴管理部プログラムＳ３２は、閲覧履歴取得の処理（Ｓ３２１）を実行する。
【０１１４】
閲覧履歴取得の処理（Ｓ３２１）は、受信した公報番号Ｄ２３５に該当する閲覧履歴データを、閲覧履歴情報テーブルＤ２４から取得する。たとえば、閲覧開始当初のように、当該公報番号Ｄ２３５に該当する閲覧履歴データが存在しない場合は、該当する閲覧履歴データが存在しない旨を閲覧処理部プログラムＳ４１へ返信するようにし、該当する閲覧履歴データが存在する場合は、取得した閲覧履歴データを閲覧処理部プログラムＳ４１へ返信する。
【０１１５】
続いて、閲覧履歴管理部プログラムＳ３２から返信を受けた閲覧処理部プログラムＳ４１は、詳細表示画面表示の処理（Ｓ４１２）を実行する。
【０１１６】
詳細表示画面表示の処理（Ｓ４１２）は、詳細表示画面Ｗ４１を起動し、閲覧者用データ取得の処理（Ｓ４１１）で取得した閲覧情報データと権利情報データと、閲覧履歴管理部プログラムＳ３２から受信した閲覧履歴データを、当該起動した詳細表示画面Ｗ４１に表示する。
【０１１７】
ここで、詳細表示画面表示の処理（Ｓ４１２）は、評価情報入力欄Ｗ４１１７と関連情報入力欄Ｗ４１１９と評価文書情報入力欄Ｗ４１１８と閲覧終了日付欄Ｗ４１１０に、閲覧情報データに設定されている評価Ｄ２３７と関連情報Ｄ２３９と評価文書Ｄ２３８と閲覧終了日付Ｄ２３０のデータをそれぞれ表示する。
【０１１８】
さらに、閲覧履歴データが存在する場合においては、詳細表示画面表示の処理（Ｓ４１２）は、評価情報入力欄Ｗ４１１７と閲覧終了日付欄Ｗ４１１０と関連情報入力欄Ｗ４１１９と評価文書情報入力欄Ｗ４１１８に、閲覧履歴データに含まれる当該閲覧者とは他の閲覧者に該当する評価Ｄ２４７と閲覧終了日付Ｄ２４０と関連情報Ｄ２４９と評価文書Ｄ２４８のデータを、閲覧者毎に表示する行を分けて、編集不可の状態でそれぞれ表示する。
【０１１９】
なお、詳細情報表示欄Ｗ４１０は、たとえば、権利情報データの抄録Ｄ２１６に設定されたデータを別画面に表示する抄録表示ボタンと、権利情報データの全文Ｄ２１７に設定されたデータを別画面に表示する全文表示ボタンと、権利情報データの図面データＤ２１８に設定されたデータを別画面に表示する図面表示ボタンと、権利情報データのリンクデータＤ２１９に設定されたデータを別画面に表示するリンクデータ表示ボタンを備えるよう構成する。
【０１２０】
この場合、閲覧者が抄録表示ボタンを押下すると、閲覧処理部４１の閲覧処理部プログラムＳ４１がダイアログなどの別画面を起動して、権利情報データの抄録Ｄ２１６に設定されたデータを取得後、当該起動した別画面に表示するよう構成する。
【０１２１】
また、閲覧者が全文表示ボタン、図面表示ボタン、リンクデータ表示ボタンを押下した場合も、上述のように、閲覧処理部プログラムＳ４１が権利情報データに設定された内容を別画面に表示するよう構成する。
【０１２２】
したがって、詳細表示画面Ｗ４１の限られた表示領域を有効に利用して、権利情報の詳細を確認することができるようになる。
【０１２３】
続いて、閲覧者は、詳細情報表示欄Ｗ４１０に表示された権利情報を閲覧し、評価情報入力欄Ｗ４１１７に、権利情報に対する評価情報を入力する。（Ｃ４１２）。
【０１２４】
続いて、閲覧者は、評価情報を入力して閲覧終了を通知するために、閲覧終了入力部Ｗ４１３を押下すると（Ｃ４１３）、閲覧進捗管理部プログラムＳ４２の閲覧終了通知の処理（Ｓ４２１）が開始される。
【０１２５】
なお、閲覧終了入力部Ｗ４１３を押下可能なボタン部品等の画面部品で構成するのではなく、評価情報の入力完了を検知した後、自動で閲覧終了通知の処理（Ｓ４２１）を開始させるプログラムとして構成しても構わない。
【０１２６】
閲覧終了通知の処理（Ｓ４２１）は、図６（ｂ）に示すように、詳細表示画面Ｗ４１に表示された閲覧情報データの評価Ｄ２３７には、評価情報入力欄Ｗ４１１７に入力されたデータを設定し、閲覧終了日付Ｄ２３０には、閲覧終了が入力された日付を設定する。さらに、関連情報Ｄ２３９には、関連情報入力欄Ｗ４１１９に入力されたデータを設定し、評価文書Ｄ２３８には、評価文書情報入力欄Ｗ４１１８に入力されたデータを設定する。
【０１２７】
続いて、閲覧終了通知の処理（Ｓ４２１）は、詳細表示画面Ｗ４１に入力されたデータが設定された当該閲覧情報データを、閲覧履歴管理部３２の閲覧履歴管理部プログラムＳ３２に送信することにより、閲覧が終了したことを通知する。
【０１２８】
以下では、前記閲覧処理部４１は、前記詳細表示画面Ｗ４１に、他の閲覧者を表示する閲覧者リスト表示欄Ｗ４１１と、閲覧者を追加設定する閲覧者追加設定欄Ｗ４１２を備え、前記閲覧進捗管理部４２は、前記閲覧者追加設定欄Ｗ４１２に追加された追加閲覧者情報を前記閲覧履歴管理部３２に出力する閲覧システム１の実施形態について、上述の構成例と実施形態、ならびに、図１０、図１１に基づいて説明する。
【０１２９】
本実施形態では、上述の実施形態の説明で利用した図７に示すように、詳細表示画面Ｗ４１は、上述の閲覧終了入力部Ｗ４１３と、上述の詳細情報表示欄Ｗ４１０と、詳細情報表示欄Ｗ４１０に表示された権利情報を閲覧する他の閲覧者を表示する閲覧者リスト表示欄Ｗ４１１と、閲覧者を追加設定する閲覧者追加設定欄Ｗ４１２を備えるようにする。
【０１３０】
閲覧者リスト表示欄Ｗ４１１は、上述の評価情報入力欄Ｗ４１１７と、上述の閲覧終了日付欄Ｗ４１１０と、上述の関連情報入力欄Ｗ４１１９と、上述の評価文書情報入力欄Ｗ４１１８と、さらに、詳細情報表示欄Ｗ４１０に表示された権利情報を閲覧する閲覧者の名前を表示する閲覧者名表示欄Ｗ４１１６を備えるようにする。
【０１３１】
閲覧者追加設定欄Ｗ４１２は、閲覧者の追加設定の操作を行う閲覧者追加設定部Ｗ４１２１を備えるようにする。さらに、追加閲覧者の閲覧履歴を表示あるいは追加閲覧者が当該詳表示画面Ｗ４１を利用する場合に、同じ入力操作を行うことができるように、閲覧者リスト表示欄Ｗ４１１と同じ構成とする。
【０１３２】
具体的には、閲覧者名表示欄Ｗ４１１６に該当する追加閲覧者名表示欄Ｗ４１２６と、評価情報入力欄Ｗ４１１７に該当する追加閲覧者評価情報入力欄Ｗ４１２７と、閲覧終了日付欄Ｗ４１１０に該当する追加閲覧者閲覧終了日付欄Ｗ４１２０と、関連情報入力欄Ｗ４１１９に該当する追加閲覧者関連情報入力欄Ｗ４１２９と、評価文書情報入力欄Ｗ４１１８に該当する追加閲覧者評価文書情報入力欄４１２８を備えるようにする。
【０１３３】
さらに、閲覧処理部４１は、図１１に示すように、閲覧者情報テーブルＤ２２に設定された閲覧者を識別するデータ（以下、「閲覧者データ」と記す。）の一覧を表示する閲覧者一覧表示欄Ｗ４１４２と、当該閲覧者一覧表示欄Ｗ４１４２に表示された複数の閲覧者データを選択入力操作可能にし、当該選択入力操作された複数の閲覧者データを閲覧処理部プログラムＳ４１に出力する選択閲覧者入力部Ｗ４１４１を備えた閲覧者一覧表示画面Ｗ４１４を備えるようにする。
【０１３４】
まず、上述の構成例と実施形態の説明に基づき、サーバ３の閲覧履歴管理部３２の閲覧履歴管理部プログラムＳ３２が、閲覧履歴を更新する実施形態について説明する。
【０１３５】
上述の実施形態の説明で利用した図９に示すように、閲覧履歴管理部プログラムＳ３２は、閲覧進捗部プログラムＳ４２から閲覧終了の通知を受信すると、閲覧履歴更新の処理（Ｓ３２２）を実行する。
【０１３６】
閲覧履歴更新の処理（Ｓ３２２）は、閲覧終了通知の処理（Ｓ４２１）から受信した閲覧情報データにより、該当する閲覧者個別情報テーブルＤ２３の閲覧情報データを更新する。
【０１３７】
さらに、閲覧履歴更新の処理（Ｓ３２２）は、閲覧された権利情報に該当する閲覧履歴情報テーブルＤ２４の閲覧履歴データが存在する場合は、当該閲覧履歴データの閲覧者に該当するデータ項目に、受信した閲覧情報データの内容を設定することにより、閲覧履歴情報テーブルＤ２４のデータを更新する。
【０１３８】
初めて閲覧終了が通知された場合など、閲覧された権利情報に該当する閲覧履歴情報テーブルＤ２４の閲覧履歴データが存在しない場合は、閲覧履歴更新の処理（Ｓ３２２）は、受信した閲覧情報データの内容を閲覧履歴情報テーブルＤ２４に登録するよう構成する。
【０１３９】
具体的には、上述の実施形態の説明で利用した図８に示すように、閲覧履歴データの当該閲覧者の公報番号Ｄ２４１に閲覧情報データの公報番号Ｄ２３５を設定し、当該閲覧者の閲覧者Ｄ２４６に閲覧情報データの閲覧者Ｄ２３６を設定する。
【０１４０】
さらに、当該閲覧者の評価Ｄ２４７には、閲覧情報データの評価Ｄ２３７を設定し、当該閲覧者の評価文書Ｄ２４８には、閲覧情報データの評価文書Ｄ２３８を設定する。さらに、当該閲覧者の関連情報Ｄ２４９には、閲覧情報データの関連情報Ｄ２３９を設定し、当該閲覧者の閲覧終了日付Ｄ２４０に閲覧情報データの閲覧終了日付Ｄ２３０を設定する。
【０１４１】
なお、閲覧履歴データの他のデータ項目に設定するデータについては、後述の実施形態で説明するため、本実施形態においては、何も設定しないものとする。
【０１４２】
以上により、閲覧履歴管理部３２による閲覧履歴の更新処理が終了する。
【０１４３】
続いて、上述の閲覧者とは他の閲覧者が、上述の閲覧者が閲覧した権利情報と同じ権利情報を閲覧する場合において、たとえば、アイコンをクリックするなど、詳細表示画面Ｗ４１の起動操作をすると（Ｃ４１１）、上述の実施形態で説明した図９に示すように、閲覧者用データ取得の処理（Ｓ４１１）が実行され、閲覧履歴取得の処理（Ｓ３２１）を実行するよう要求する。
【０１４４】
要求を受けた閲覧履歴管理部プログラムＳ３２は、閲覧履歴取得の処理（Ｓ３２１）を上述のとおり実行し、上述の閲覧履歴管理部３２による閲覧履歴の更新処理が終了した閲覧履歴データを取得し、取得した閲覧履歴データを閲覧処理部プログラムＳ４１へ返信する。
【０１４５】
続いて、閲覧履歴管理部プログラムＳ３２から返信を受けた閲覧処理部プログラムＳ４１は、詳細表示画面表示の処理（Ｓ４１２）を実行する。
【０１４６】
詳細表示画面表示の処理（Ｓ４１２）は、閲覧履歴管理部プログラムＳ３２から受信した閲覧履歴データと、閲覧用データ取得の処理（Ｓ４１１）で取得した閲覧情報データと権利情報データを詳細表示画面Ｗ４１に上述のとおりに表示する。なお、閲覧者名表示欄Ｗ４１１６には、閲覧情報データから取得した閲覧者名Ｄ２３６を表示する。
【０１４７】
さらに、上述の実施形態の説明で利用した図７に示すように、当該詳細表示画面Ｗ４１に表示される権利情報を閲覧する他の閲覧者の閲覧履歴を表示するために、閲覧履歴データから当該他の閲覧者に該当する、閲覧者Ｄ２４６、評価Ｄ２４７、閲覧終了日付Ｄ２４０、関連情報Ｄ２４９、評価文書Ｄ２４８を取得し、それぞれ、閲覧者名表示欄Ｗ４１１６、評価情報入力欄Ｗ４１１７、閲覧終了日付欄Ｗ４１１０、関連情報入力欄Ｗ４１１９、評価文書情報入力欄Ｗ４１１８に、当該他の閲覧者Ｄ２４６毎に表示する行を分け、編集不可の状態で表示する。
【０１４８】
続いて、閲覧者追加設定部Ｗ４１２１から起動された閲覧者一覧画面Ｗ４１４を利用して、追加する閲覧者を選択入力操作し、当該追加された閲覧者を閲覧者追加設定欄Ｗ４１２に表示する実施形態について説明する。
【０１４９】
図１０に示すように、閲覧者が閲覧者追加設定部Ｗ４１２１を押下すると（Ｃ４１４）、閲覧処理部プログラムＳ４１の閲覧情報取得の処理（Ｓ４１３）が開始される。
【０１５０】
閲覧情報取得の処理（Ｓ４１３）は、閲覧者情報テーブルＤ２２から閲覧者データの一覧を取得し、閲覧者一覧表示の処理（Ｓ４１４）を実行する。
【０１５１】
閲覧者一覧表示の処理（Ｓ４１４）は、閲覧者一覧画面Ｗ４１４を起動し、取得した閲覧者データの一覧を、当該起動した閲覧者一覧画面Ｗ４１４の閲覧者一覧表示欄Ｗ４１４２に表示する。
【０１５２】
続いて、閲覧者が閲覧者一覧画面Ｗ４１４の閲覧者一覧表示欄Ｗ４１４２に表示された閲覧者の中から追加する閲覧者を選択操作し、選択閲覧者入力部Ｗ４１４１を押下すると（Ｃ４１５）、閲覧処理部プログラムＳ４１の追加閲覧者表示の処理（Ｓ４１５）が実行される。
【０１５３】
追加閲覧者表示の処理（Ｓ４１５）は、閲覧者一覧画面Ｗ４１４に選択操作された閲覧者データの一覧を取得し、取得した当該閲覧者データの一覧から閲覧者名を示すデータを取得し、詳細表示画面Ｗ４１の追加閲覧者名表示欄Ｗ４１２６に表示する。
【０１５４】
さらに、上述のように追加閲覧者名表示欄Ｗ４１２６に追加閲覧者が表示された場合において、閲覧者が再度閲覧者追加設定部Ｗ４１２１を押下したときは、閲覧情報取得の処理（Ｓ４１３）は、当該既に追加閲覧者名表示欄Ｗ４１２６に表示されている追加閲覧者の一覧を閲覧処理部プログラムＳ４１の変数に保存するよう構成する。
【０１５５】
続いて、閲覧者一覧表示の処理（Ｓ４１４）は、変数に保存された当該既に追加閲覧者名表示欄Ｗ４１２６に表示された追加閲覧者の一覧を取得し、選択入力した状態で表示するよう構成する。
【０１５６】
続いて、前記閲覧進捗管理部４２は、閲覧者追加設定欄Ｗ４１２に追加された追加閲覧者情報を前記閲覧履歴管理部３２に出力する実施形態について説明する。
【０１５７】
上述のように、追加閲覧者が閲覧者追加設定欄Ｗ４１２に表示された場合において、閲覧者が閲覧終了入力部Ｗ４１３を押下すると（Ｃ４１６）、閲覧進捗管理部プログラムＳ４２の追加閲覧者出力の処理（Ｓ４２２）を実行するよう、閲覧処理部プログラムＳ４１を構成する。
【０１５８】
追加閲覧者出力の処理（Ｓ４２２）は、詳細表示画面Ｗ４１の追加閲覧者名表示欄Ｗ４１２６に表示された当該追加閲覧者名の一覧のデータと、詳細表示画面Ｗ４１に表示された権利情報データを、閲覧履歴覧管理部プログラムＳ３２へ出力する。
【０１５９】
なお、本実施形態では、閲覧者が閲覧終了入力部Ｗ４１３を押下した（Ｃ４１６）場合において、閲覧進捗管理部プログラムＳ４２が閲覧者追加設定欄Ｗ４１２に追加された追加閲覧者情報を前記閲覧履歴管理部３２に出力するよう説明したが、追加閲覧者表示の処理（Ｓ４１５）を実行後、閲覧者の画面操作を介さずに、自動で追加閲覧者出力の処理（Ｓ４２２）を実施するよう、閲覧処理部プログラムＳ４１を構成しても構わない。
【０１６０】
さらに、閲覧者が閲覧終了入力部Ｗ４１３を押下した（Ｃ４１６）場合においては、上述の実施形態の説明で利用した図９に示すように、閲覧が終了したことを通知するために、閲覧終了通知の処理（Ｓ４２１）を実行する必要がある。
【０１６１】
しかし、この場合、追加閲覧者出力の処理（Ｓ４２２）と閲覧終了通知の処理（Ｓ４２１）はどちらを先に実行しても構わない。あるいは、閲覧終了通知の処理（Ｓ４２１）の内部処理となるよう追加閲覧者出力の処理（Ｓ４２２）を構成しても構わない。
【０１６２】
以下では、前記閲覧要求部３１は、前記追加閲覧者情報に含まれる追加閲覧者のクライアントに当該権利情報の閲覧要求を出力する閲覧システム１の実施形態について、上述の構成例と実施形態、ならびに、図１２に基づいて説明する。
【０１６３】
上述の実施形態の説明で利用した図８に示すように、閲覧履歴情報テーブルＤ２４の閲覧履歴データのデータ構造は、追加区分Ｄ２４Ａを備えるよう構成する。
【０１６４】
さらに、上述の実施形態の説明で利用した図６に示すように、閲覧者個別情報テーブルＤ２３の閲覧情報データのデータ構造は、追加区分Ｄ２３Ａを備えるよう構成する。
【０１６５】
上述の実施形態の説明に続いて、詳細表示画面Ｗ４１の追加閲覧者名表示欄Ｗ４１２６に表示された追加閲覧者の一覧のデータと、詳細表示画面Ｗ４１に表示された権利情報データを取得した閲覧履歴管理部プログラムＳ３２は、追加閲覧情報登録の処理（Ｓ３２３）を実行する。
【０１６６】
追加閲覧情報登録の処理（Ｓ３２３）は、取得した権利情報データを利用して、当該権利情報データの公報番号Ｄ２１１に関連付けられた閲覧履歴データの追加区分Ｄ２４Ａに、追加閲覧者が有ることを示すデータを設定することにより、閲覧履歴情報テーブルＤ２４を更新する。
【０１６７】
さらに、追加閲覧情報登録の処理（Ｓ３２３）は、追加閲覧者の閲覧履歴を管理するために、取得した追加閲覧者の一覧のデータと権利情報データを利用して、追加閲覧者用の閲覧履歴データ（以下、「追加閲覧履歴データ」と記す。）を作成する。
【０１６８】
追加閲覧情報登録の処理（Ｓ３２３）は、当該作成する追加閲覧履歴データの公報番号Ｄ２４１に、当該取得した権利情報データの公報番号Ｄ２１１を設定し、閲覧者Ｄ２４６に、当該取得した追加閲覧者の一覧のデータから取得した閲覧者名を設定し、さらに、追加区分Ｄ２４Ａに追加であることを示すデータを設定し、当該作成した追加閲覧履歴データを閲覧履歴情報テーブルＤ２４に登録するよう構成する。
【０１６９】
続いて、図１２に示すように、追加閲覧履歴データが登録された後、閲覧要求部３１の閲覧要求部プログラムＳ３１は、手動あるいは、ある定められた期間毎に自動で実行され、上述のとおり、権利情報取得の処理（Ｓ３１１）と回覧情報取得の処理（Ｓ３１２）を実行する。
【０１７０】
続いて、閲覧要求処理部プログラムＳ３１は、閲覧履歴情報取得の処理（Ｓ３１４）を実行するように構成する。
【０１７１】
閲覧履歴情報取得の処理（Ｓ３１４）は、権利情報取得の処理（Ｓ３１１）で取得した権利情報データを閲覧履歴管理部プログラムＳ３２に送信し、当該権利情報データに関連付けられた追加閲覧履歴データを取得するよう要求する。
【０１７２】
続いて、閲覧履歴管理部プログラムＳ３２は、取得した権利情報データに関連付けられる追加閲覧履歴データを閲覧履歴情報テーブルＤ２４から取得し、閲覧要求部プログラムＳ３１に当該取得した追加閲覧履歴データを返信する。
【０１７３】
続いて、閲覧要求部プログラムＳ３１は、閲覧情報登録の処理（Ｓ３１３）を実行する。
【０１７４】
閲覧履歴管理部プログラムＳ３２から追加閲覧履歴データを受信した場合においては、閲覧情報登録の処理（Ｓ３１３）は、権利情報取得の処理（Ｓ３１１）で取得した権利情報データと追加閲覧履歴データを利用して、閲覧情報データを作成するよう構成する。
【０１７５】
閲覧情報登録の処理（Ｓ３１３）は、当該作成する閲覧情報データの閲覧者Ｄ２３６に、当該取得した追加閲覧履歴データの閲覧者Ｄ２４６を設定し、種別Ｄ２３２に、当該取得した権利情報データの種別Ｄ２１２を設定し、区分Ｄ２３３に、当該取得した権利情報データの種別Ｄ２１３を設定し、件名Ｄ２３４に、当該取得した権利情報データの件名Ｄ２１５を設定する。
【０１７６】
さらに、閲覧情報登録の処理（Ｓ３１３）は、当該作成する閲覧情報データの公報番号Ｄ２３５に、当該取得した権利情報データの公報番号Ｄ２１１を設定し、評価Ｄ２３７に、当該取得した追加閲覧履歴データの評価Ｄ２４７を設定し、追加区分Ｄ２３Ａに追加を示すデータを設定する。さらに、評価文書Ｄ２３８、関連情報Ｄ２３９、閲覧終了日付Ｄ２３０には、何も設定しない。
【０１７７】
続いて、閲覧情報登録の処理（Ｓ３１３）は、当該作成した閲覧情報データを、閲覧者個別情報テーブルＤ２３に登録するよう構成する。
【０１７８】
以上で、閲覧要求部３１の閲覧要求部プログラムＳ３１の処理を終了する。
【０１７９】
続いて、上述の実施形態の説明で利用した図９に示すように、追加閲覧設定された閲覧者が、たとえば、アイコンをクリックするなど、詳細表示画面Ｗ４１の起動操作をすると（Ｃ４１１）、上述のとおり、閲覧者用データ取得の処理（Ｓ４１１）と、閲覧履歴取得の処理（Ｓ３２１）が実行され、続いて、詳細表示画面表示の処理（Ｓ４１２）が実行される。
【０１８０】
詳細表示画面表示の処理（Ｓ４１２）は、閲覧者用データ取得の処理（Ｓ４１１）で取得した閲覧情報データの追加区分Ｄ２３Ａに追加を示すデータが設定されている場合は、上述の実施形態の説明で利用した図７に示すように、詳細情報表示欄Ｗ４１０に、閲覧者用データ取得の処理（Ｓ４１１）で取得した権利情報データに設定されているデータを、上述のとおり表示する。
【０１８１】
さらに、追加閲覧者名表示欄Ｗ４１２６と追加閲覧者評価情報入力欄Ｗ４１２７と追加閲覧者閲覧終了日付欄Ｗ４１２０と追加閲覧者関連情報入力欄Ｗ４１２９と追加閲覧者評価文書情報入力欄Ｗ４１２８に、閲覧情報データに設定された閲覧者Ｄ２３６と評価Ｄ２３７と閲覧終了日付Ｄ２３０と関連情報Ｄ２３９と評価文書Ｄ２３８のデータをそれぞれ表示する。
【０１８２】
さらに、閲覧履歴取得の処理（Ｓ３２１）から取得した閲覧履歴データの追加区分Ｄ２４Ａに追加を示すデータが設定されていた場合は、追加閲覧者名表示欄Ｗ４１２６と追加閲覧者評価情報入力欄Ｗ４１２７と追加閲覧者閲覧終了日付欄Ｗ４１２０と追加閲覧者関連情報入力欄Ｗ４１２９と追加閲覧者評価文書情報入力欄Ｗ４１２８に、閲覧履歴データに含まれる当該追加閲覧者とは他の追加閲覧者に該当する、閲覧者Ｄ２４６と評価Ｄ２４７と閲覧終了日付Ｄ２４０と関連情報Ｄ２４９と評価文書Ｄ２４８に設定されたデータを、追加閲覧者毎に表示する行を分けて、編集不可の状態でそれぞれ表示する。
【０１８３】
以上で、閲覧者追加設定欄Ｗ４１２に設定された追加閲覧者が、閲覧要求部３１により出力された閲覧要求に基づいて、閲覧クライアント４で権利情報の閲覧を実施することができるようになる。
【０１８４】
以下では、前記関連情報入力欄Ｗ４１１９に、当該権利情報に関連する文献情報ファイルが入力される閲覧システム１の実施形態について、上述の構成例と実施形態、図１３に基づいて説明する。
【０１８５】
上述の実施形態の説明で利用した図７に示すように、詳細表示画面Ｗ４１は、関連情報入力欄Ｗ４１１９に文献情報ファイル入力欄Ｗ４１１Ｂを備えるよう構成する。
【０１８６】
さらに、閲覧処理部４１は、閲覧者が文献情報ファイル入力欄Ｗ４１１Ｂを構成するボタン部品を押下したときに起動される文献情報ファイル指定操作画面Ｗ４１５を備えるよう構成する。
【０１８７】
文献情報ファイル指定操作画面Ｗ４１５は、たとえば、図１３（ａ）に示すように、文献情報ファイルのファイルパスを入力するファイルパス入力欄Ｗ４１５１と、ファイルパス入力欄Ｗ４１５１へのファイルパス入力操作を補助するファイル参照ボタンＷ４１５２と、ファイルパス入力欄Ｗ４１５１に入力されたファイルパスを詳細表示画面Ｗ４１に利用可能に表示する決定ボタンＷ４１５３と、ファイルパス入力欄Ｗ４１５１に入力されたファイルパスが示すファイル内容を表示する表示ボタンＷ４１５４を備えるように構成する。
【０１８８】
さらに、文献情報ファイル入力欄Ｗ４１１Ｂに入力された情報をデータベース２に登録するため、上述の実施形態の説明で利用した図６（ａ）に示すように、閲覧者個別情報テーブルＤ２３は、文献情報ファイルＤ２３Ｂと拡張子Ｄ２３Ｃを備え、さらに、上述の実施形態の説明で利用した図８に示すように、閲覧履歴情報テーブルＤ２４は、文献情報ファイルＤ２４Ｂと拡張子Ｄ２４Ｃを備えるように構成する。
【０１８９】
さらに、閲覧者が文献情報ファイル入力欄Ｗ４１１Ｂを構成するボタン部品を押下したとき、文献情報ファイル指定操作画面Ｗ４１５を起動するよう閲覧処理部プログラムＳ４１を構成する。
【０１９０】
さらに、閲覧者が文献情報ファイル指定操作画面Ｗ４１５のファイル参照ボタンＷ４１５２を押下したとき、ファイルダイアログを表示し、当該ファイルダイアログを利用して選択入力されたファイルパスを、ファイルパス入力欄Ｗ４１５１に出力するよう閲覧処理部プログラムＳ４１を構成する。
【０１９１】
この場合、ファイルパス入力欄Ｗ４１５１にファイルパスが入力されたときは、表示ボタンＷ４１５４を入力操作可能に表示するよう閲覧処理部プログラムＳ４１を構成する。
【０１９２】
さらに、閲覧者が表示ボタンＷ４１５４を押下したときは、ファイルパス入力欄Ｗ４１５１に入力されたファイルパスが示す、文献情報ファイルの拡張子に関連付けられたアプリケーションを起動し、当該文献情報ファイルの内容を表示するよう、閲覧処理部プログラムＳ４１を構成する。
【０１９３】
さらに、閲覧者が決定ボタンＷ４１５３を押下したときは、ファイルパス入力欄Ｗ４１５１に入力されたファイルパスを、詳細表示画面Ｗ４１に利用可能に表示するよう閲覧処理部プログラムＳ４１を構成する。
【０１９４】
この場合、ファイルパスを詳細表示画面Ｗ４１に利用可能に表示するとは、たとえば、詳細表示画面Ｗ４１の背景色と同じ色で表示するなど、目視できなくても、閲覧進捗管理部プログラムＳ４２が当該ファイルパスを取得可能なように、詳細表示画面Ｗ４１上に識別可能に表示されていれば構わないことを示す。
【０１９５】
上述の構成に基づいて、上述の実施形態の説明で利用した図９に示すように、閲覧者が評価情報を入力後、閲覧終了を通知するために閲覧終了入力部Ｗ４１３を押下すると（Ｃ４１３）、閲覧進捗管理部プログラムＳ４２の閲覧終了通知の処理（Ｓ４２１）が実行される。
【０１９６】
閲覧終了通知の処理（Ｓ４２１）は、詳細表示画面Ｗ４１に文献情報ファイルのファイルパスが利用可能に表示されている場合は、当該利用可能に表示されたファイルパスを取得するよう構成する。
【０１９７】
さらに、閲覧終了通知の処理（Ｓ４２１）は、当該取得したファイルパスが示すファイルのバイナリデータを、閲覧情報データの文献情報ファイルＤ２３Ｂに設定し、当該取得したファイルパスが示すファイルの拡張子を拡張子Ｄ２３Ｃに設定するよう構成する。
【０１９８】
さらに、閲覧終了通知の処理（Ｓ４２１）は、文献情報ファイルＤ２３Ｂと拡張子Ｄ２３Ｃ以外のデータ項目についても、上述のとおり、詳細表示画面Ｗ４１に入力されたデータを閲覧情報データに設定し、履歴管理部プログラムＳ３２に送信するよう構成する。
【０１９９】
なお、上述の実施形態と同様に、追加閲覧設定欄Ｗ４１２の追加閲覧者関連情報入力欄Ｗ４１２９に追加閲覧者文献情報ファイル入力欄Ｗ４１２Ｂを備えるよう詳細表示画面Ｗ４１を構成した場合、追加閲覧者文献情報ファイル入力欄Ｗ４１２Ｂを構成するボタン部品が押下されたときは、文献情報ファイル指定操作画面Ｗ４１５を起動し、当該文献情報ファイル指定操作画面Ｗ４１５を利用して入力されたファイルパスを詳細表示画面Ｗ４１に利用可能に表示するよう閲覧処理部プログラムＳ４１を構成しても構わない。
【０２００】
この場合、追加閲覧者は、回覧情報テーブルに設定された閲覧者が詳細表示画面Ｗ４１を入力操作するときと同様の操作で、詳細表示画面Ｗ４１を入力操作することができるようになる。
【０２０１】
以下では、前記閲覧履歴管理部３２は、当該権利情報の閲覧履歴に、前記閲覧進捗管理部４２から出力された文献情報ファイルを閲覧可能に付加する閲覧システム１の実施形態について、上述の構成例と実施形態、図１３に基づいて説明する。
【０２０２】
上述の実施形態の説明に続いて、文献情報データが設定された閲覧情報データを受信した履歴管理部プログラムＳ３２は、閲覧履歴更新の処理（Ｓ３２２）を実行する。
【０２０３】
閲覧履歴更新の処理（Ｓ３２２）は、当該受信した文献情報ファイルＤ２３Ｂと拡張子Ｄ２３Ｃが設定された閲覧情報データを利用して、閲覧者個別情報テーブルＤ２３を更新するよう構成する。
【０２０４】
さらに、閲覧履歴更新の処理（Ｓ３２２）は、閲覧履歴情報テーブルＤ２４を更新する場合において、閲覧履歴データの文献情報ファイルＤ２４Ｂに、当該取得した閲覧情報データの文献情報ファイルＤ２３Ｂに設定されたバイナリデータを設定し、閲覧履歴データの拡張子Ｄ２４Ｃに、当該取得した閲覧情報データの拡張子Ｄ２３Ｃを設定するよう構成する。
【０２０５】
続いて、閲覧者が、たとえば、アイコンをクリックするなど、詳細表示画面Ｗ４１の起動操作をすると（Ｃ４１１）、上述のとおり、閲覧者用データ取得の処理（Ｓ４１１）と、閲覧履歴取得の処理（Ｓ３２１）が実行され、続いて、詳細表示画面表示の処理（Ｓ４１２）が実行される。
【０２０６】
この場合、詳細表示画面表示の処理（Ｓ４１２）は、閲覧者用データ取得の処理（Ｓ４１１）で取得した閲覧情報データの文献情報ファイルＤ２３Ｂと拡張子Ｄ２３Ｃと、閲覧履歴管理部プログラムＳ３２の閲覧履歴取得の処理（Ｓ３２１）から受信した閲覧履歴データから文献情報ファイルＤ２４Ｂと拡張子Ｄ２４Ｂを取得することができる。
【０２０７】
したがって、当該取得した文献情報ファイルＤ２３Ｂ、Ｄ２４Ｂが存在する場合は、文献情報ファイルが存在することを示すために、詳細表示画面Ｗ４１の文献情報ファイル入力欄Ｗ４１１Ｂにボタン部品を押下可能に表示するよう、詳細表示画面表示の処理（Ｓ４１２）を構成する。
【０２０８】
さらに、当該取得した文献情報ファイルＤ２３Ｂ、Ｄ２４Ｂと拡張子Ｄ２３Ｃ、Ｄ２４Ｃを、詳細表示画面Ｗ４１で利用可能に表示するよう、詳細表示画面表示の処理（Ｓ４１２）を構成する。
【０２０９】
この場合、詳細表示画面Ｗ４１で利用可能に表示するとは、当該取得した文献情報ファイルＤ２３Ｂ、Ｄ２４Ｂのバイナリデータと拡張子Ｄ２３Ｃ、Ｄ２４Ｃを目視できなくとも、たとえば、詳細表示画面Ｗ４１が表示されている間は消滅しない閲覧処理部プログラムＳ４１の変数に設定するなど、閲覧処理プログラムＳ４１と閲覧進捗管理部プログラムＳ４２が当該文献情報ファイルＤ２３Ｂ、Ｄ２４Ｂのバイナリデータと拡張子Ｄ２３Ｃ、Ｄ２４Ｃを取得できるように設定することを示す。
【０２１０】
続いて、閲覧者が詳細表示画面Ｗ４１の文献情報ファイル入力欄Ｗ４１１Ｂに表示されたボタン部品を押下した場合は、図１３（ｂ）に示すように、文献情報ファイル指定操作画面Ｗ４１５のファイルパス入力欄Ｗ４１５１にファイルパスを表示せず、表示ボタンＷ４１５４を押下可能に表示するよう閲覧処理部プログラムＳ４１を構成する。
【０２１１】
続いて、閲覧者が表示ボタンＷ４１５４を押下したときは、上述の詳細表示画面Ｗ４１に利用可能に表示された文献情報ファイルＤ２３Ｂのバイナリデータと拡張子Ｄ２３Ｃを取得し、拡張子Ｄ２３Ｃに関連付けられたアプリケーションを起動後、当該取得した文献情報ファイルＤ２３Ｂのバイナリデータを表示するように、閲覧処理部プログラムＳ４１を構成する。
【０２１２】
なお、閲覧者が、詳細表示画面Ｗ４１を操作する閲覧者とは他の閲覧者の文献情報ファイル入力欄Ｗ４１１Ｂに表示されたボタン部品を押下した場合は、文献情報ファイル指定操作画面Ｗ４１５のファイルパス入力欄Ｗ４１５１とファイル参照ボタンＷ４１５２を、入力操作不可の状態で表示し、表示ボタンＷ４１５４を押下可能に表示するように、閲覧処理部プログラムＳ４１を構成する。
【０２１３】
この場合、続いて、閲覧者が表示ボタンＷ４１５４を押下したときは、上述のとおり、詳細表示画面Ｗ４１に利用可能に表示されている文献情報ファイルＤ２４Ｂのバイナリデータを取得し、拡張子Ｄ２４Ｂに関連付けられたアプリケーションを起動し、当該文献情報ファイルＤ２４Ｂのバイナリデータを表示するよう、閲覧処理部プログラムＳ４１を構成する。
【０２１４】
なお、追加閲覧設定欄Ｗ４１２の追加閲覧者関連情報入力欄Ｗ４１２９に追加閲覧者文献情報ファイル入力欄Ｗ４１２Ｂを備え、追加閲覧者が文献情報ファイルを入力操作可能に構成した場合も、上述と同様の方法で、閲覧履歴管理部３２が当該権利情報の閲覧履歴に、前記閲覧進捗管理部４２から出力された文献情報ファイルを閲覧可能に付加するよう構成できることは、言うまでもないであろう。
【０２１５】
また、たとえば、データベース２を構成する市販のデータベース製品の機能制限などにより、バイナリデータをテーブルに格納することができない場合は、閲覧履歴更新の処理（Ｓ３２２）は、閲覧進捗管理部プログラムＳ４２から受信した閲覧情報データの文献情報ファイルＤ２３Ｂに設定されたバイナリデータを、履歴管理部プログラムＳ３２がアクセス可能なフォルダへファイル出力するよう構成する。
【０２１６】
さらに、閲覧履歴更新の処理（Ｓ３２２）は、当該出力したファイルのファイルパスを閲覧情報データの文献情報ファイルＤ２３Ｂに設定して閲覧者個別情報テーブルＤ２３を更新するようにし、さらに、閲覧履歴データの文献情報ファイルＤ２４Ｂにも前記ファイルパスを設定し、閲覧履歴情報テーブルＤ２４を更新するよう構成する。
【０２１７】
ただし、この場合、詳細表示画面Ｗ４１を表示する場合においては、当該文献情報ファイルが出力されたサーバ３上のファイルパスがデータ設定されているため、詳細表示画面Ｗ４１に表示するデータを取得する処理、すなわち、閲覧者用データ取得の処理（Ｓ４１１）と、閲覧履歴取得の処理（Ｓ３２１）においては、閲覧情報データの文献情報ファイルＤ２３Ｂと閲覧履歴データの文献情報ファイルＤ２４Ｂに設定されたファイルパスが示す文献情報ファイルのバイナリデータを取得するよう構成する必要があることは、いうまでもないであろう。
【０２１８】
ただし、この場合、閲覧者用データ取得の処理（Ｓ４１１）は、閲覧クライアント４で実行されるため、閲覧情報データの文献情報ファイルＤ２３Ｂに設定されたファイルパスが示す文献情報ファイルのバイナリデータをそのままでは取得できない。
【０２１９】
したがって、閲覧履歴管理部プログラムＳ３２にファイルパスが示す文献情報ファイルのバイナリデータを取得する処理（以下、「バイナリデータ取得の処理」と記す。）を備えるようにし、閲覧者用データ取得の処理（Ｓ４１１）と、閲覧履歴取得の処理（Ｓ３２１）は、バイナリデータ取得の処理を利用するように構成すればよい。
【０２２０】
以下では、前記閲覧進捗管理部４２は、前記評価情報の入力完了を条件に前記閲覧終了通知を出力する閲覧システム１の実施形態について、上述の構成例と実施形態、ならびに図１４に基づいて説明する。
【０２２１】
まず、閲覧処理部プログラムＳ４１が、評価情報入力欄Ｗ４１１７に評価情報が入力されているかどうかをチェックする処理（以下、「評価情報チェック処理」と記す。）を備えるように構成する。
【０２２２】
続いて、閲覧者が閲覧終了入力部Ｗ４１３を押下したときは、当該評価情報チェック処理を開始するよう閲覧処理部プログラムＳ４１を構成する。
【０２２３】
続いて、評価情報チェック処理は、評価情報入力欄Ｗ４１１７に評価情報が入力されていなかった場合は、図１４に示すように、評価情報を入力するよう促す旨のメッセージを表示する警告画面を起動するように構成する。
【０２２４】
一方、評価情報入力欄Ｗ４１１７に評価情報が入力されていた場合は、上述のとおり、閲覧進捗管理部Ｓ４２の閲覧終了通知の処理（Ｓ４２１）を実行するように構成する。
【０２２５】
以下では、上述の閲覧システム１に接続可能なデータベースサーバ３の実施形態について説明する。
【０２２６】
上述の実施形態において説明したデータベースサーバ３は、データベース２で管理されるデータテーブルのデータに、データベースインタフェース３３を介してアクセスするように構成することを説明した。
【０２２７】
この場合、データベース２は、ネットワーク７に接続された別のコンピュータに構成しても構わないし、データベースサーバ３と同じコンピュータ内に構成しても構わない。
【０２２８】
ネットワーク７に接続された別のコンピュータにデータベース２を構成した場合は、データベースインタフェース３３がネットワーク７を介して、データベース２で管理されるデータテーブルのデータにアクセスするように構成する必要がある。
【０２２９】
データベースサーバ３と同じコンピュータ内にデータベース２を構成した場合は、データベースインタフェース３３がネットワーク７を介さずに、データベース２で管理されるデータテーブルのデータにアクセスするように構成する必要がある。
【０２３０】
以下では、上述の閲覧システム１に接続可能な閲覧者用のクライアント４の実施形態について説明する。
【０２３１】
上述の実施形態において説明した閲覧者用のクライアント４は、サーバ３のデータベースインタフェース３３を介して、データベース２に備えられているデータテーブルのデータにアクセス可能に構成されているが、サーバ３のデータベースインタフェース３３と同じ構成のデータベースインタフェースを、閲覧クライアント４に構成しても構わない。
【０２３２】
この場合、閲覧クライアント４は、当該クライアント内に備えているデータベースインタフェース３３を利用して、データベース２で管理されるデータテーブルのデータにアクセス可能となる。
【０２３３】
さらに、閲覧クライアント４の閲覧処理部４１と閲覧進捗管理部４２を、サーバ３に備えるように構成することにより、閲覧クライアント４とサーバ３が一体化したスタンドアロン型の閲覧システムとして構成しても構わない。
【０２３４】
以下、別実施形態について説明する。
【０２３５】
上述の実施形態では、閲覧者一覧表示画面Ｗ４１４に追加設定する閲覧者の一覧を表示することとした。しかし、閲覧者の一覧を、リストボックスなどの選択入力操作部品を利用して選択操作可能に表示し、詳細表示画面Ｗ４１の空いたスペースに表示しても構わない。
【０２３６】
さらに、上述の実施形態の説明で利用した図８に示すように、閲覧履歴情報テーブルＤ２４のデータ構造が、知財部評価Ｄ２４２、知財部評価文書Ｄ２４３、知財部担当者Ｄ２４４、知財部確認日付Ｄ２４５を備えるようにし、詳細表示画面Ｗ４１に、知財管理者が権利情報に対しての評価情報を入力及び表示する欄を備えるようにしても構わない。
【０２３７】
ただし、詳細表示画面Ｗ４１を利用する操作者が知財管理者である場合は、上述の知財管理者用に設けた入力及び表示する欄を利用可能に表示し、知財管理者が入力した情報を取得して、閲覧履歴管理部プログラムＳ３２へ送信する処理を備えるよう閲覧処理部プログラムＳ４１を構成する必要があることはいうまでもないであろう。
【０２３８】
さらに、閲覧処理部プログラムＳ４１から受信した情報を、上述の閲覧履歴情報テーブルＤ２４の知財部評価Ｄ２４２、知財部評価文書Ｄ２４３、知財部担当者Ｄ２４４、知財部確認日付Ｄ２４５に登録あるいは更新し、当該データ項目に設定されたデータを取得する処理を備えるよう閲覧履歴管理部プログラムＳ３２を構成する必要があることはいうまでもないであろう。
【０２３９】
この場合、知財管理者が詳細表示画面Ｗ４１に表示された各閲覧者の内容を確認しながら、閲覧終了した権利情報に対して適切な評価入力が行えるようになる。さらに、閲覧者が知財管理者による評価入力結果を閲覧することができるため、知財管理者との意思疎通が図れるようになる。
【０２４０】
また、上述の実施形態では、閲覧処理部プログラムＳ４１、文書登録部プログラムＳ５１、検索実行部プログラムＳ６１は、それぞれ、閲覧クライアント４、管理クライアント５、検索用コンピュータ６に構成していた。
【０２４１】
しかし、これらのプログラムは、各クライアントに表示される画面の入出力操作や表示等の画面動作に直接関連する処理と、当該画面動作に直接関連する処理に入出力されるデータの編集処理と、に分離して構成しても構わない。
【０２４２】
この場合、当該入出力されるデータの編集処理のみをサーバ３に備えるよう構成し、サーバ３をＷｅｂアプリケーションサーバとして構成することにより、Ｗｅｂシステムとして構成できるようになる。ただし、このとき、クライアント側に備えられた画面動作に直接関連する処理と、サーバ側に備えられたデータの編集処理の間で、ネットワーク７を介して、ＨＴＴＰプロトコルによるデータ通信が行えるよう構成する必要があることはいうまでもないであろう。
【０２４３】
つまり、知的財産に関する複数の権利情報が蓄積され、一または複数の前記権利情報毎にアクセス可能な閲覧者が設定された回覧情報テーブルを備えたデータベースと、前記回覧情報テーブルに設定された閲覧者のクライアントに前記権利情報の閲覧要求を出力する閲覧要求部と、前記閲覧要求に対する閲覧者の閲覧履歴を管理する閲覧履歴管理部と、前記閲覧要求部からの閲覧要求に基づいて、前記データベースに蓄積された前記権利情報を閲覧操作し、各権利情報に対する評価情報を入力するための閲覧操作画面を生成する閲覧処理部と、当該閲覧操作画面を介した閲覧終了入力操作に基づいて前記閲覧履歴管理部に閲覧終了通知を出力する閲覧進捗管理部を備えたデータベースサーバと、前記閲覧処理部により生成された閲覧操作画面を表示するとともに、当該閲覧操作画面を介した閲覧終了入力操作がなされたことを前記閲覧進捗管理部に出力する入出力処理部を備えたクライアントがネットワーク接続された閲覧システムが構築される。
【０２４４】
また、作業効率を向上させるために、サーバ３の閲覧要求部３１と閲覧履歴管理部３２とデータベースインタフェース３３の３つの構成要素と、閲覧クライアント４の閲覧処理部４１と閲覧進捗管理部４２の２つの構成要素と、管理クライアント５の文書登録部５１と、検索用コンピュータ６の検索実行部６１とメディアドライブ６２とメディアドライブにアクセスするためのインタフェース部の３つの構成要素を、それぞれ組み合わせて特定のコンピュータに一体化して構成することにより、上述の実施形態とは別のシステム構成としても構わないことは言うまでもないであろう。
【０２４５】
以上説明した閲覧システムでは、データベースに権利情報として特許権に関する情報が蓄積される場合を説明したが、本発明による閲覧システムが対象とする権利情報は、特許情報に限るものではなく、実用新案権、意匠権、商標権、半導体回路配置権など、データベースとして管理して閲覧可能な知的財産権情報に広く活用することができる。
【０２４６】
以上説明した実施形態は、本発明の一例に過ぎず、本発明の作用効果を奏する範囲において各ブロックの具体的構成等を適宜変更設計できることは言うまでもない。
【図面の簡単な説明】
【０２４７】
【図１】本発明を適用した閲覧システムのブロック構成図
【図２】ＣＤ−ＲＯＭ公報から検索式に該当する権利情報の電子データファイルを抽出する動作を説明するための処理フロー図
【図３】権利情報をデータベースに登録する動作を説明するための処理フロー図
【図４】（ａ）は、権利情報テーブルに設定される権利情報データを示し、（ｂ）は、回覧情報テーブルに設定される回覧情報データを示す、データ構造図
【図５】権利情報の閲覧要求を出力する動作を説明する処理フロー図
【図６】（ａ）は、閲覧前を示し、（ｂ）は、閲覧終了後を示す、閲覧個別情報テーブルに設定される閲覧情報データのデータ構造図
【図７】詳細表示画面の外観図
【図８】履歴管理情報テーブルに設定される閲覧履歴データのデータ構造図
【図９】詳細表示画面を利用した権利情報の閲覧の動作を説明するための処理フロー図
【図１０】追加閲覧者を設定する動作を説明するための処理フロー図
【図１１】閲覧者一覧表示画面の外観図
【図１２】追加閲覧者に権利情報の閲覧要求を出力する動作を説明する処理フロー図
【図１３】文献情報ファイル指定操作画面の外観図
【図１４】評価情報未入力警告画面の外観図
【符号の説明】
【０２４８】
１：閲覧システム
２：データベース
３：データベースサーバ（サーバ）
４：閲覧者のクライアント（閲覧クライアント）
５：管理者用のクライアント（管理クライアント）
６：検索用コンピュータ
７：ネットワーク
３１：閲覧要求部
３２：閲覧履歴管理部
４１：閲覧処理部
４２：閲覧進捗管理部
５１：文書登録部
６１：検索実行部
Ｄ２１：権利情報テーブル
Ｄ２２：閲覧者情報テーブル
Ｄ２３：閲覧者個別情報テーブル
Ｄ２３６：閲覧者（閲覧者個別情報テーブル）
Ｄ２３７：評価（閲覧者個別情報テーブル）
Ｄ２３８：評価文書（閲覧者個別情報テーブル）
Ｄ２３９：関連情報（閲覧者個別情報テーブル）
Ｄ２３Ａ：追加区分（閲覧個別情報テーブル）
Ｄ２３Ｂ：文献情報ファイル（閲覧個別情報テーブル）
Ｄ２３Ｃ：拡張子（閲覧個別情報テーブル）
Ｄ２４：閲覧履歴情報テーブル
Ｄ２４６：閲覧者（閲覧履歴情報テーブル）
Ｄ２４７：評価（閲覧履歴情報テーブル）
Ｄ２４８：評価文書（閲覧履歴情報テーブル）
Ｄ２４９：関連情報（閲覧履歴情報テーブル）
Ｄ２４Ａ：追加区分（閲覧履歴情報テーブル）
Ｄ２４Ｂ：文献情報ファイル（閲覧履歴情報テーブル）
Ｄ２４Ｃ：拡張子（閲覧履歴情報テーブル）
Ｄ２５：回覧情報テーブル
Ｄ２５４：閲覧者（回覧情報テーブル）
Ｗ４１：閲覧操作画面（詳細表示画面）
Ｗ４１１：閲覧者リスト表示欄
Ｗ４１０：詳細情報表示欄
Ｗ４１１７：評価情報入力欄
Ｗ４１１８：評価文書情報入力欄
Ｗ４１１９：関連情報入力欄
Ｗ４１１Ｂ：文献情報ファイル入力欄
Ｗ４１２：閲覧者追加設定欄
Ｗ４１３：閲覧終了入力部
Ｗ４１４：閲覧者一覧表示画面
Ｗ４１５：文献情報ファイル指定操作画面
Ｗ４１６：評価情報未入力警告画面
【図１】
2009276884.tif 000003
【図２】
2009276884.tif 000004
【図３】
2009276884.tif 000005
【図４】
2009276884.tif 000006
【図５】
2009276884.tif 000007
【図６】
2009276884.tif 000008
【図７】
2009276884.tif 000009
【図８】
2009276884.tif 000010
【図９】
2009276884.tif 000011
【図１０】
2009276884.tif 000012
【図１１】
2009276884.tif 000013
【図１２】
2009276884.tif 000014
【図１３】
2009276884.tif 000015
【図１４】
2009276884.tif 000016